(57)【要約】      （修正有）【課題】隣接するパーツ布に付された図柄にズレが生じることがなく連続した装飾模様が付すことができるとともに、パーツ布の接合部をほつれにくい傘の提供。【解決手段】複数のパーツ布３を接合して一枚布状態に形成するとともに前記複数のパーツ布３同士を接合した複数の接合部４に刺繍１を施している。【選択図】図１
0003118880.tif 000002
【実用新案登録請求の範囲】
【請求項１】
複数のパーツ布（３）を接合して一枚布状態に形成するとともに前記複数のパーツ布（３）同士を接合した複数の接合部（４）に刺繍（１）が施されていることを特徴とする傘。
【請求項２】
前記刺繍（１）は、複数のパーツ布（３）同士を接合した複数の接合部（４）にわたって連続的に施されていることを特徴とする請求項１に記載の傘。
【請求項３】
前記刺繍（１）の刺繍糸（１ａ）が隣接する２枚のパーツ布（３）の接合部（４）を交差するように設けられていることを特徴とする請求項１または２に記載の傘。
【請求項４】
前記刺繍（１）は、隣接する２枚のパーツ布（３）の接合部（４）の長手方向に間隔をおいて複数箇所に施されていることを特徴とする請求項１から３のいずれか１項に記載の傘。
【考案の詳細な説明】
【技術分野】
【０００１】
本考案は傘に関する。
【背景技術】
【０００２】
傘布、傘地等の名称でよばれる傘の生地には、通常、傘の装飾性等の観点より何らかの装飾模様が施されていて、これにより傘は個性化、差別化が図られている。装飾模様を構成する手法として、例えば染色による着色や、刺繍等が挙げられる。
刺繍は繊細な模様等を表現でき、傘に高級感を与えることができるため、装飾模様を付す手段として多用されている。
一方、傘の生地（以下、傘地という）は、一定形状に裁断されたパーツ布が複数枚接合されて椀のような一枚布形状に構成されており、親骨の間に張設されて、取付られる。
【０００３】
この作業工程を図３〜図６に基づいて詳細に説明する。
まず、帯状布２０を点線Ｌで示すような裁断線に沿って切断して、略二等辺三角形状のパーツ布２１を複数枚得る（図３、図４）。
これら複数枚のパーツ布２１、２１、・・・は放射状に並べられて、接合部２２、２２、・・・により互いに接合され、平面視において略円形の傘地２３を形成する（図５参照）。
傘地２３が得られたら、親骨２５に接合部２２を当接させ、傘地２３を親骨２５、２５間に張設させる（図６参照）。
【０００４】
傘地２３に装飾模様を付すときは、作業工程の都合上、パーツ布２１に裁断する前に帯状布２０にあらかじめ装飾模様を付しておくことが多い。装飾模様を付した後にパーツ布２１を形成し、各パーツ布を接合する。
【考案の開示】
【考案が解決しようとする課題】
【０００５】
しかし、上述のような従来の作業手順による装飾模様は、あらかじめ装飾模様が付された生地を一旦裁断するため、再度パーツ布を縫い合わせたときに、装飾模様が途中で分断されたり、隣接するパーツ布に付された装飾模様の図柄が接合部を境界にずれてしまう、という問題がある。
さらに、パーツ布同士はミシン等によって接合されるが、この接合部がほつれないように補強しておくことが望まれる。
本考案はこのような問題点に鑑みてなされたものであり、その目的は、隣接するパーツ布に付された図柄にズレが生じることがなく連続した装飾模様を付すことができるとともに、パーツ布の接合部をほつれにくくした傘を提供することにある。
【課題を解決するための手段】
【０００６】
上記目的を達成すべく、本考案においては以下の手段を採用した。
すなわち本考案にかかる傘は、複数のパーツ布を接合して一枚布状態に形成するとともに前記複数のパーツ布同士を接合した複数の接合部に刺繍が施されていることを特徴とする。
これによれば、複数のパーツ布を接合して一枚布状態に形成し、接合された複数のパーツ布の複数の接合部に刺繍を施すことで、複数のパーツ布間で装飾模様がずれることなく、しかも刺繍によって接合部を補強して、この接合部をほつれにくくすることができる。
【０００７】
また、前記刺繍は、前記複数のパーツ布同士を接合した複数の接合部にわたって連続的に施されていることが望ましい。
これによれば、複数のパーツ布間で装飾模様がずれることなく、しかもこの装飾模様を大きく形成することができ、かつ接合部を刺繍によって補強することができるようになる。
また、前記刺繍の刺繍糸が隣接する２枚のパーツ布の接合部と交差するように設けられていることが好ましい。
【０００８】
これによれば、接合部をより強固に補強することが可能になる。
また、前記刺繍は、隣接する２枚のパーツ布の接合部の長手方向に間隔をおいて複数箇所に施されていることが好ましい。
これによっても、接合部をより強固に補強することができる。
【考案の効果】
【０００９】
本考案によれば、隣接するパーツ布に付された図柄にズレが生じることがなく連続した装飾模様が付すことができるとともに、パーツ布の接合部をほつれにくくできる。
【考案を実施するための最良の形態】
【００１０】
以下、図面に基づき本考案の実施形態について説明する。
図１および図２に示すように、本発明に係る傘は、刺繍１による装飾模様が付された傘地２を有している。
傘地２は、複数（図例では８枚）のパーツ布３を放射状に並べ、各パーツ布３同士を接合部４において接合して、円形または多角形状の一枚布状態に形成されている。本実施形態においては、パーツ布３はほぼ二等辺三角形の形状に裁断されている。
本実施形態においては、接合部４は、ほぼ二等辺三角形のパーツ布３の斜辺同士の縫着により構成されている。具体的には、前記接合部４は、ほぼ二等辺三角形のパーツ布３の斜辺部分を一定幅の縫い代をもって裏側に折り返し、図２に示すように、各パーツ布３を折り返して形成された折返し部５同士を接触させ、両者を縫着糸６によって縫着することによって形成される。なお、この縫着はミシン等によって行われる。
【００１１】
図１に示すように、この一枚布状態の傘地２に、刺繍１による装飾模様が全体的に付されている。刺繍１は、主として機械により施されるが、手加工によるものであってもよい。
傘地２に付された刺繍１は、花柄のものを例示しているが、花柄に限らず、幾何学的な図形または複数種の図形の組み合わせ、動物柄、絵画調その他の種々の種類のモチーフを用いることができる。
この刺繍１は、図１に示すように、複数のパーツ布３を接合して一枚布状態に形成された傘地２の、複数の接合部４にわたって連続的に施されている。ここで、「複数の接合部４にわたる」とは、隣接するパーツ布３の一方から他方に向かって刺繍１が複数の接合部４を通過して形成されることをいう。
【００１２】
具体的には、この実施形態では、刺繍１は、３枚のパーツ布３の３つの接合部４にわたって形成されている。刺繍１は、３つの接合部４に限らず、２つの接合部４または４つ以上の接合部４、またはすべての接合部４にわたって形成するようにしてもよい。
このように、複数のパーツ布３を接合して一枚布状態の傘地２を形成し、その後に傘地２に刺繍１による装飾模様を付すので、装飾模様は、接合部４を境界にして途中で分断されたり、また隣接するパーツ布３に付された図柄とずれたりすることなく、連続した見映えのよい状態に表現される。
【００１３】
さらに、刺繍１を複数の接合部４にわたって形成した場合にも、見映えがよく、かつこの刺繍１によって、この接合部４がほつれないように補強できる。
図２に示すように、本実施形態では、前記刺繍１の刺繍糸１ａは、隣接する２枚のパーツ布３の接合部４を交差するように設けられている。また、図２に示すように、前記刺繍糸１ａは、傘地２の表面側、裏面側の両側で、接合部４を取り囲むように設けられている。
このように、刺繍糸１ａを接合部４に交差するように設けることによって、接合部４がほつれないようにさらに補強することが可能になる。なお、刺繍糸１ａは、２重、３重というように重ねるように設けてもよい。これによって、多様な装飾模様を傘地２に形成できるとともに、接合部４がほつれないように、さらに補強することができる。
【００１４】
また、前記刺繍１は、平面視において、隣接する２枚のパーツ布３の接合部４の長手方向に間隔をおいて複数箇所に施されている。ここで、「接合部４の長手方向」とは、一枚布状態に形成された傘地２を構成する二等辺三角形状のパーツ布３の斜辺が向く方向をいう。
具体的には、刺繍１は、図１において、二点鎖線によって囲われた部分（符号Ａ、Ｂ、Ｃ、Ｄで示す）のように、接合部４の長手方向に沿って間隔をおいて４箇所に施されている。
【００１５】
このように、刺繍１を接合部４の長手方向に複数箇所に施すことによって、接合部４を全体的に補強することができる。なお、この刺繍１は、前記４箇所に限らず、２箇所、３箇所又は５箇所以上設けてもよい。また、接合部４の長手方向のほぼ全ての範囲わたって１つ（１箇所）の刺繍１を施すことも可能である。
上記のように一枚布状態とされた傘地２に刺繍１が施されると、この傘地２を椀形状にして傘の親骨２５（図６参照）に取り付ける。傘地２の取付は、親骨２５に接合部４を当接させ、親骨２５の形状に沿わせつつ親骨２５、２５間に張設させて行う。
【００１６】
得られた傘は、刺繍１による装飾模様が途中で途切れたり、また接合部４においてズレが生じることなく、連続した状態で表現され、刺繍１によって接合部４が補強されているので、長期の使用に耐えうる寿命の長いものになる。
なお、この刺繍１は、複数の接合部４にわたって連続的に施さずに、複数の接合部４に断続的に施すようにしてもよい。複数のパーツ布３を接合して一枚布状態の傘地２を形成したのちに、刺繍１を施すので、刺繍１による装飾模様にずれがなく、しかも複数の接合部４のそれぞれを補強して、傘を長寿命化することができるようになる。
【図面の簡単な説明】
【００１７】
【図１】本考案の実施形態にかかる傘の傘地を示した平面図である。
【図２】図１のＸ−Ｘ矢示線断面図である。
【図３】傘地を構成するパーツ布の形成手順を示した工程図である。
【図４】傘地を構成するパーツ布の形成手順を示した工程図である。
【図５】複数のパーツ布の接合により形成された傘地を示した平面図である。
【図６】完成した傘を示した斜視図である。
【符号の説明】
【００１８】
１    刺繍
１ａ  刺繍糸
２    傘地
３    パーツ布
４    接合部
【図１】
0003118880.tif 000003
【図２】
0003118880.tif 000004
【図３】
0003118880.tif 000005
【図４】
0003118880.tif 000006
【図５】
0003118880.tif 000007
【図６】
0003118880.tif 000008